(57)【要約】【課題】商品収納ラックを移動させた場合に本体キャビネットとの間を接続するケーブルが弛むことに起因した問題を招来する虞れのない自動販売機を提供すること。【解決手段】自動販売機は、本体キャビネット１０と、本体キャビネットの内部に移動可能に設けた商品収納ラック３０ａ、３０ｂ、３０ｃ、３０ｄとを備える。本体キャビネット１０と、商品収納ラックとの間をケーブル１５ａ、１５ｂ、１５ｃ、１５ｄによって接続する。また、その自動販売機には、商品収納ラック３０ａ、３０ｂ、３０ｃ、３０ｄの移動に伴うケーブルの移動方向を規制するガイド手段１６ａ、１６ｂ、１６ｃ、１６ｄを設ける。【選択図】        図３
2006011699.tif 000002
【特許請求の範囲】
【請求項１】
本体キャビネットと、本体キャビネットの内部に移動可能に設けた商品収納ラックとの間をケーブルによって接続した自動販売機において、
商品収納ラックの移動に伴うケーブルの移動方向を規制するガイド手段を設けたことを特徴とする自動販売機。
【発明の詳細な説明】
【技術分野】
【０００１】
本発明は、本体キャビネットと、本体キャビネットの内部に移動可能に設けた商品収納ラックとの間をケーブルによって接続した自動販売機に関するものである。
【背景技術】
【０００２】
自動販売機の中には、図１０〜図１３に示すように、前面扉２を開いて商品収納ラック３ａ、３ｂ、３ｃ、３ｄを引き出した後、引き出した商品収納ラック３ａ、３ｂ、３ｃ、３ｄの側面から商品を収納、または補充するものがある（例えば、特許文献１参照）。
【０００３】
この種の自動販売機では、商品収納ラック３ａ、３ｂ、３ｃ、３ｄと本体キャビネット１０との間がケーブル４ａ、４ｂ、４ｃ、４ｄによって接続されており、それらのケーブル４ａ、４ｂ、４ｃ、４ｄを通じて商品収納ラック３ａ、３ｂ、３ｃ、３ｄに電力や制御信号が与えられている。それぞれのケーブル４ａ、４ｂ、４ｃ、４ｄは、商品収納ラック３ａ、３ｂ、３ｃ、３ｄを引き出した場合にも、商品収納ラック３ａ、３ｂ、３ｃ、３ｄと本体キャビネット１との間を接続できるだけの長さに設定されている。
【０００４】
【特許文献１】特開２００２−１８３８２２号公報
【発明の開示】
【発明が解決しようとする課題】
【０００５】
ところで、従来の自動販売機では、例えば一旦引き出した商品収納ラック３ｄを押し込んで本体キャビネット１に戻した場合、引き出し時に伸びていたケーブル４ｄが、商品収納ラック３ｄの押し込みとともに弛むことになる。このとき、弛んだケーブル４ｄが側方に突出し、本体キャビネット１と商品収納ラック３ｄとの間や、移動した商品収納ラック３ｄとその隣の商品収納ラック３ｃとの間に挟まれる場合があり、例えば商品収納ラック３ｄを本体キャビネット１に収納できない事態やケーブル４ｄが損傷する事態を招来する虞れがある。
【０００６】
本発明は、上記実情に鑑みて、商品収納ラックを移動させた場合に本体キャビネットとの間を接続するケーブルが弛むことに起因した問題を招来する虞れのない自動販売機を提供することを目的とする。
【課題を解決するための手段】
【０００７】
上記の目的を達成するために、本発明の請求項１に係る自動販売機では、本体キャビネットと、本体キャビネットの内部に移動可能に設けた商品収納ラックとの間をケーブルによって接続した自動販売機において、商品収納ラックの移動に伴う前記ケーブルの移動方向を規制するガイド手段を設けたことを特徴とする。
【発明の効果】
【０００８】
本発明に係る自動販売機によれば、商品収納ラックの移動に伴うケーブルの移動方向を規制するガイド手段を設けているため、商品収納ラックを移動させた場合にケーブルが本体キャビネットと商品収納ラックとの間や、移動した商品収納ラックとその隣の商品収納ラックとの間に挟まれることがなく、例えば商品収納ラックを本体キャビネットに収納できない事態やケーブルが損傷する事態を招来する虞れもない。
【発明を実施するための最良の形態】
【０００９】
以下に添付図面を参照して、本発明に係る自動販売機の好適な実施の形態を詳細に説明する。
【００１０】
図１は、本発明の実施の形態である自動販売機を示す図である。図示する自動販売機は、例えばブリックパック入り飲料、缶入り飲料、ペットボトル入り飲料を販売するためのものである。その自動販売機は、本体キャビネット１０、前面扉２０を備える。
【００１１】
本体キャビネット１０は、例えば複数枚の鋼板を適宜組み合わせることによって、前面に開口を有する箱状に形成する。なお、本体キャビネット１０内には、本体キャビネット１０の鋼板に不図示の断熱板を貼ることによって断熱空間を形成する。
【００１２】
前面扉２０は、本体キャビネット１０の前面開口を覆うように、本体キャビネット１０の一側縁部に、開閉可能に取り付ける。なお、前面扉２０の正面には、商品を選択するためのディスプレイウィンドウ、紙幣を挿入する紙幣挿入口、硬貨を投入する硬貨投入口、商品を選択する複数の商品選択押ボタン、商品を取り出す商品取出口２１を設ける。
【００１３】
本体キャビネット１０内の下部には、例えば２つの商品シュータ１１ａ、１１ｂを設ける。それらの商品シュータ１１ａ、１１ｂは、後面側から前面側に向けて下方に傾斜するようそれぞれ配置する。
【００１４】
商品シュータ１１ａ、１１ｂのさらに下部には不図示の温度調節手段を設ける。温度調節手段は、ファンや、蒸発器を備える冷却ユニットや、ヒータを備える加温ユニットによって構成する。
【００１５】
商品シュータ１１ａ、１１ｂの上部には、例えば４つの商品収納ラック３０ａ、３０ｂ、３０ｃ、３０ｄを設ける。商品収納ラック３０ａ、３０ｂ、３０ｃ、３０ｄは、本体キャビネット１０の内部に、図中左右方向に沿って並設する。それらの商品収納ラック３０ａ、３０ｂ、３０ｃ、３０ｄは、例えば２つのラックケース３１ａ、３１ｂでそれぞれ構成する。図２に、それらのラックケース３１ａ、３１ｂのうちの一方を示す。図示するように、ラックケース３１ａは、横断面がコ字状で縦長な形状をしている。
【００１６】
ラックケース３１ａの内部には、長手方向に沿って仕切板３２を設ける。その仕切板３２によって、ラックケース３１ａ内には、一の商品積載部３３ａ、および他の商品積載部３３ｂを設ける。
【００１７】
ラックケース３１ａおよび仕切板３２の下部には、側部フラッパ３４ａ、下部フラッパ３４ｂからなる商品排出機構３５、３６を、商品積載部３３ａ、３３ｂに対応して設ける。それらの商品排出機構３５は、不図示の排出モータによって駆動する。
【００１８】
また、それらのラックケース３１ａ、３１ｂで構成する商品収納ラック３０ａ、３０ｂ、３０ｃ、３０ｄの上部と、図１に示す本体キャビネット１０の上板との間には、周知の移動手段を設け、本体キャビネット１０に対して商品収納ラック３０ａ、３０ｂ、３０ｃ、３０ｄを前後方向、すなわち、商品収納ラック３０ａ、３０ｂ、３０ｃ、３０ｄの並設方向と直交する方向に移動可能とする。
【００１９】
その本体キャビネット１０の奥には、図３に示すように、本体キャビネット１０の背板１０ａおよび側板１０ｂ、１０ｃならびにダクト板１２ａによって、空気循環ダクト１２を形成する。
【００２０】
ダクト板１２ａと、商品収納ラック３０ａ、３０ｂ、３０ｃ、３０ｄとの間には、商品収納ラック３０ａ、３０ｂ、３０ｃ、３０ｄの背面側より伸びるケーブル１５ａ、１５ｂ、１５ｃ、１５ｄを図４に示すように設ける。
【００２１】
それらのケーブル１５ａ、１５ｂ、１５ｃ、１５ｄはまとめて、一本のメインケーブル１４にする。そのメインケーブル１４は、不図示の電源供給ユニットに接続する。メインケーブル１４およびケーブル１５ａ、１５ｂ、１５ｃ、１５ｄは、例えば商品排出機構３５の排出モータに制御信号を与える信号送受信配線や、電力を供給する電力供給配線を束ねて構成したものである。
【００２２】
それらのケーブル１５ａ、１５ｂ、１５ｃ、１５ｄには、ガイド手段１６ａ、１６ｂ、１６ｃ、１６ｄをそれぞれ設ける。それらのうち例えば一つのガイド手段１６ｃを説明する。なお、ガイド手段１６ｄは、ガイド手段１６ｃと同一形状をしている。一方、ガイド手段１６ａとガイド手段１６ｂは、ガイド手段１６ｃに対して長さ方向に線対称の形状をしている。
【００２３】
図５に示すように、ガイド手段１６ｃは、支持部材１７とガイド部材１８とを備える。支持部材１７は、横断面を略コ字状に形成する。その支持部材１７の背板１７ａには、取付孔１７ｂを複数設ける。また、支持部材１７の一方の側板１７ｃおよび他方の側板１７ｄには、それぞれ回動孔を設ける。
【００２４】
一方、ガイド部材１８は、横断面がＬ字状で縦長な形状をしている。また、ガイド部材１８の背板１８ａには、長さ方向に沿って、２つで１組の取付孔１８ｂを数組設ける。さらに、ガイド部材１８の基端には、回動筒部１８ｃを設ける。
【００２５】
そして、支持部材１７の回動孔と、ガイド部材１８の回動筒部１８ｃが備える孔とに、不図示のピンを入れて、図６に示すように、支持部材１７にガイド部材１８を、ガイド筒部１８ｃを中心に回動自在に取り付ける。
【００２６】
このガイド手段１６ｃの支持部材１７は、図４に示すように、ガイド部材１８がダクト板１２ａの凹部Ｈに入り、ガイド部材１８が水平軸回りに揺動するように、本体キャビネット１０の背板１０ａに取り付ける。
【００２７】
そして、ガイド手段１６ｃのガイド部材１８には、図７に示すように、取付孔１８ｂを通したインシュロック１９によってケーブル１５ｃを取り付ける。
【００２８】
さて、この自動販売機に商品を収納する場合を説明する。商品を収納するには、先ず、図１に示す前面扉２０を開けてから、図８に示すように、例えば商品収納ラック３０ｂを手前に引き出す。このとき、ケーブル１５ｂは、商品収納ラック３０ｂに引っ張られる。すると、ケーブル１５ｂを取り付けた図９に示すガイド部材１８が、本体キャビネット１０の背板１０ａに対して直交する方向の手前に回動する。ガイド手段１６ｂのガイド部材１８は、前述した方向にのみ回動し、それ以外の方向には回動しないから、ケーブル１５ｂは、ガイド手段１６ｂによって、商品収納ラック３０ａ、３０ｂ、３０ｃ、３０ｄの並設方向に移動することなく、商品収納ラック３０ａ、３０ｂ、３０ｃ、３０ｄの並設方向と直行する方向に移動方向を規制されて移動する。
【００２９】
次に、図８に示す引き出した商品収納ラック３０ｂの側面側から商品収納ラック３０ｂに商品を収納する。例えば図２に示すように、一の商品積載部３３ａにはブリックパック入り飲料３７ａを積載する。一方、他の商品積載部３３ｂには、例えば缶入り飲料３７ｂを積載する。
【００３０】
同様に、図１に示すラックケース３１ｂ内の商品積載部３３ａ、３３ｂにも商品を積載する。次に、図８に示す商品収納ラック３０ｂを奥に押し込む。このとき、商品収納ラック３０ｂによってケーブル１５ｂが弛められる。すると、図９に示すケーブル１５ｂを取り付けたガイド部材１８が、本体キャビネット１０の背板１０ａに対して直交する方向の奥に回動する。ガイド手段１６ｂのガイド部材１８は、前述した方向にのみ回動し、それ以外の方向には回動しない。よって、この自動販売機は、ケーブル１５ｂがガイド手段１６ｂによって、商品収納ラック３０ａ、３０ｂ、３０ｃ、３０ｄの並設方向に移動することなく、商品収納ラック３０ａ、３０ｂ、３０ｃ、３０ｄの並設方向と直行する方向に移動方向を規制されて移動するので、移動する商品収納ラック３０ｂとその隣の商品収納ラック３０ａ、３０ｃとの間にケーブル１５ｂが挟まれることを防止することができる。したがって、ケーブル１５が、移動する商品収納ラック３０ｂとその隣の商品収納ラック３０ａ、３０ｃとの間に挟まれることを防止することができるので、ケーブル１５ｂが損傷することを防止することができるとともに、商品収納ラック３０ｂを確実に収納することができる。
【００３１】
そして、一の商品収納ラック３０ｂに商品を積載したのと同様にして、他の商品収納ラック３０ａ、３０ｃ、３０ｄにも商品を積載する。最後に、図１に示す前面扉２０を閉じて商品の収納を完了する。
【００３２】
その後、温度調節手段によって、図２に示すブリックパック入り飲料３７ａや缶入り飲料３７ｂを加温したり冷却したりする。すなわち、ファンによって、断熱空間内の空気を循環しつつ、その空気を、冷却ユニットによって冷却したり、または加温ユニットによって加温したりし、その冷却、または加温した空気によってブリックパック入り飲料３７ａや缶入り飲料３７ｂを加温したり冷却したりする。
【００３３】
この冷却または加温の際、この自動販売機によれば、図３に示すように、本体キャビネット１０の内部に、商品収納ラック３０ａ、３０ｂ、３０ｃ、３０ｄの移動に伴うケーブル１５ａ、１５ｂ、１５ｃ、１５ｄの移動方向を規制するガイド手段１６ａ、１６ｂ、１６ｃ、１６ｄを設けたから、商品収納ラック３０ａ、３０ｂ、３０ｃ、３０ｄの移動時、ガイド手段１６ａ、１６ｂ、１６ｃ、１６ｄによってケーブル１５ａ、１５ｂ、１５ｃ、１５ｄの移動方向を規制することができ、それにより、移動後のケーブル１５ａ、１５ｂ、１５ｃ、１５ｄ位置を設計通りにして循環する空気を設計通りに流すことができるので、ブリックパック入り飲料３７ａや缶入り飲料３７ｂの冷却、または加温効率を向上することができる。
【００３４】
また、この自動販売機によれば、商品収納ラック３０ａ、３０ｂ、３０ｃ、３０ｄの移動時、ガイド手段１６ａ、１６ｂ、１６ｃ、１６ｄによってケーブル１５ａ、１５ｂ、１５ｃ、１５ｄの移動方向を規制することができるので、移動後のケーブル１５ａ、１５ｂ、１５ｃ、１５ｄ位置を設計通りにして、ケーブル１５ａ、１５ｂ、１５ｃ、１５ｄを収納する空間をコンパクトにすることができるから、小型な自動販売機を提供することができる。
【００３５】
なお、本発明に係る自動販売機は、この実施形態に限定されるものではなく、この発明の要旨を逸脱しない範囲で種々の変形実施が可能である。例えば、この実施形態では、本体キャビネット１０にガイド手段１６ａ、１６ｂ、１６ｃ、１６ｄを取り付けるものを示したが、この発明はそれに限られず、商品収納ラック３０ａ、３０ｂ、３０ｃ、３０ｄにガイド手段を設けても良いし、本体キャビネット１０および商品収納ラックの双方にガイド手段を取り付けても良い。
【図面の簡単な説明】
【００３６】
【図１】本発明の実施例である自動販売機を概念的に示す斜視図である。
【図２】図１に示した自動販売機が備える商品収納ラックのラックケースを概念的に示す斜視図である。
【図３】図１に示した自動販売機を概念的に示す横断面図である。
【図４】図１に示した自動販売機が備えるケーブルを概念的に示す斜視図である。
【図５】図１に示した自動販売機が備えるガイド手段を、概念的に示す斜視図である。
【図６】図５に示したガイド手段の回動時を概念的に示す斜視図である。
【図７】図５に示したガイド手段にケーブルを取り付けた状態を概念的に示す斜視図である。
【図８】図１に示した自動販売機の商品収納ラックの移動時を示す横断面図である。
【図９】図８に示した移動時のケーブルを概念的に示す斜視図である。
【図１０】従来の自動販売機を概念的に示す側面図である。
【図１１】図１０における矢視Ａ−Ａでの断面図である。
【図１２】従来の自動販売機の商品収納ラックの移動時を概念的に示す側面図である。
【図１３】図１２における矢視Ｂ−Ｂでの断面図である。
【符号の説明】
【００３７】
１０  本体キャビネット
１２  空気循環ダクト
１５ａ、１５ｂ、１５ｃ、１５ｄ  ケーブル
１６ａ、１６ｂ、１６ｃ、１６ｄ  ガイド手段
３０ａ、３０ｂ、３０ｃ、３０ｄ  商品収納ラック
【図１】
2006011699.tif 000003
【図２】
2006011699.tif 000004
【図３】
2006011699.tif 000005
【図４】
2006011699.tif 000006
【図５】
2006011699.tif 000007
【図６】
2006011699.tif 000008
【図７】
2006011699.tif 000009
【図８】
2006011699.tif 000010
【図９】
2006011699.tif 000011
【図１０】
2006011699.tif 000012
【図１１】
2006011699.tif 000013
【図１２】
2006011699.tif 000014
【図１３】
2006011699.tif 000015